(57)【要約】【課題】昆虫の捕獲だけでなく、捕獲した昆虫の死骸を標本として、採取記録の保存管理、昆虫種の特定を行うための検査業務、外部機関への輸送等を効率的に行えるようにする捕虫器【解決手段】昆虫を捕獲する粘着部を、検査用透明フィルム窓を一体化した二つ折りカード型のカートリッジとし、捕虫器本体への脱着も両側の差込口からの差込型とする。【選択図】  図１
2004159626.tif 000002
【特許請求の範囲】
【請求項１】
厚紙を素材とした二つ折り構造のカートリッジ台紙と、その一面を窓枠形状に切り抜き開口部に透明フィルムを貼り付けた検査用窓と、カートリッジ台紙の残る一面に塗布、もしくはシート貼りされた捕虫用粘着材による捕虫粘着部と、二つ折り台紙の折り目に沿って両端をヒンジ状に残し折り目部分を細く切り抜くことでスムーズな約３６０度の折り返し機能を備えた検査用透明フィルム窓を一体化したカード型粘着捕虫のカートリッジ。
【請求項２】
カバーの左右両側につくられたカートリッジの差込口と、カートリッジの捕虫粘着部が挿入時に差込口の断面に接触しないようにするための差込口形状と、差し込まれたカートリッジをカバー底部に誘導かつ固定するカートリッジ押さえガイドと、カートリッジが差し込まれた差込口とは反対側の差込口から装着されたカートリッジが抜け落ちることを防ぐための差込口内部の停止形状からなるカートリッジの差込脱着機構をもつ捕虫器。
【発明の詳細な説明】
【０００１】
【発明の属する技術分野】
本発明は、食品工場や精密機械工場等での製品への昆虫混入を防ぐため、紫外線蛍光ランプの誘虫効果を利用した捕虫器とそのカートリッジに関するものである。本発明では昆虫の捕獲だけでなく、捕獲後の虫の死骸を標本として二次利用できるようカートリッジをカード型とした。その結果、採取記録の保管、昆虫種の特定を行うための昆虫同定検査、外部専門家への輸送等が簡便になり、ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ：総合衛生管理製造過程）やＩＰＭ（Ｉｎｔｅｇｒａｔｅｄ  Ｐｅｓｔ  Ｍａｎａｇｅｍｅｎｔ：総合防虫管理手法）等の工場の衛生管理手順を効率化することが可能となった。
【０００２】
【従来の技術】
従来、捕虫器は、昆虫の捕獲を目的として作られているため、捕獲後の昆虫の死骸は破棄されることを念頭に器具の設計がなされていた。しかし昨今、ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ：総合衛生管理製造過程）やＩＰＭ（Ｉｎｔｅｇｒａｔｅｄ  Ｐｅｓｔ  Ｍａｎａｇｅｍｅｎｔ：総合防虫管理手法）等の衛生管理手順を採用する工場が増え始めるとともに、捕獲後の昆虫の死骸を破棄せず、記録として保存したり、外部専門家に調査を依頼するなど二次利用の必要が生じてきた。ところが従来の捕虫器では、死骸の付着した粘着部の回収に手間と時間がかかること、粘着部の回収状態が回収担当者によって一定しないため検査記録としての客観性に欠けること等が専門家から指摘されていた。
【０００３】
すでに検査を前提にした専門器具は数種発明されているが（例えば特許文献１参照）、その発明の製品化には高度な機械装置を必要とするため、高価であること、使用方法が煩雑であること、捕虫粘着部形状が保管、検査、輸送に不向きで手間とコストがかかること、が原因し普及が難しい状況にあった。
【特許文献１】特開２００１−３７３９４  害虫捕獲装置用カートリッジ、害虫捕獲装置および害虫捕獲方法
【０００４】
【発明が解決しようとする課題】
本発明は、まず捕虫粘着部をカード形状にカートリッジ化することで、保管、輸送を通常の書類と同等の簡便さで取り扱えるようにした。さらにカートリッジの一部を透明フィルム窓形状とすることで、捕虫粘着部に付着した昆虫の死骸を破損から保護し、かつ透明フィルムを通して観察できるようにした。
【０００５】
捕虫器への上記カートリッジの装着方法についても、カバーに差込口をつけることで抜き差しだけの簡便なカートリッジの着脱を実現した。その結果、着脱作業時に捕虫器のカバーを外したり、工具を使用して一部部品を分解するなどの手間を省くことができた。さらにカバーの差込口を左右対称に設けることで、例えば工場内の壁や器具等の障害物に本器の横部分を接せざるを得ない状況においても、反対側の差込口から容易なカートリッジの脱着を可能とした。
【０００６】
【課題を解決するための手段】
請求項１の発明は、厚紙を素材とした二つ折り構造のカートリッジ台紙（１４）に、検査用透明フィルム窓（１５）と、あらかじめ剥離紙（１７）で保護された捕虫粘着部（１６）と、台紙折り目の両端に台紙折り返し用ヒンジ部（１９）を残した形状で、台紙折り返し用切り抜き部（１８）を設け、台紙左右対称４箇
所に台紙折り返し用指掛け部（２０）をつける
【図２】。
【０００７】
【図２】
【０００８】
請求項２の発明は、本体ベース（２）に紫外線蛍光ランプ（１）とグローランプ（６）と安定器（７）と電源コード（８）を配置、接続する。さらに、カバー（９）を本体ベース（２）に固定するため、カバー切り抜き窓（１０）を本体ベースフック（３）に上部から引っ掛ける。本器を壁に据え付けて使用する場合は、本体ベース固定用ネジ穴（４）を利用して壁にネジ止めし固定する。本器を壁に据え付けず自立型の捕虫器として使用する場合は、本体ベース・カバー固定金具（５）を利用して、カバー（９）と本体ベース（２）を固定する。
【０００９】
カバー（９）内部の底部にはカートリッジ押さえガイド（１１）を設け、底部の左右両側にはカートリッジ（１３）挿入のための差込口（１２）を設ける。差込口（１２）は、カートリッジ（１３）挿入時に捕虫粘着部（１６）が差込口（１２）断面に接触することを防ぐため高さを二段形状【図３】としている。さらにカートリッジが差し込まれた差込口（１２）とは反対側の差込口（１２）から装着されたカートリッジ（１３）が抜け落ちることを防ぐため差込口（１２）内
部を壁型の停止形状
【図４】とする。
【００１０】
【図３】
【００１１】
【図４】
【００１２】
【実施例】
本発明の実施者はまず、室内の昆虫を捕獲するために適切な位置と高さを調査し、本器の設置場所を決定する。本器は壁に据え付けて使用する方法と、任意の場所に自立して使用する方法の二通りがある。どちらかを選んで実施者は本器の設置を行う。
【００１３】
壁に据え付けて使用する場合、実施者はまず本体ベース（２）を本体ベース固定用ネジ穴（４）を通じて壁の所定の位置にネジ等で固定する。その後、カバー（９）を本体ベース（２）に固定するため、カバー切り抜き窓（１０）上部を本体ベースフック（３）に引っ掛ける。
【００１４】
自立して使用する場合は、実施者は本体ベース（２）とカバー（９）を固定するために、本体ベース・カバー固定金具（５）を用いて、カバー切り抜き窓（１０）上部と本体ベース固定用ネジ穴（４）を固定し所定の場所に置く。
【００１５】
カートリッジ（１３）はあらかじめ、剥離紙（１７）が貼られている捕虫粘着部（１６）を上にして、台紙折り返し用ヒンジ部（１９）を軸に、検査用透明フィルム窓（１５）を下側、つまり捕虫粘着部（１６）の塗布されたカートリッジ台紙（１４）の裏面に二つ折りに接する形状で仮留めされている。
【００１６】
実施者は、剥離紙（１７）を剥がし、捕虫粘着部（１６）を露出させた状態で、捕虫粘着部（１６）を上にして左右どちらかの差込口（１２）からカバー（９）内に挿入する。差込口（１２）から挿入されたカートリッジ（１３）は、カートリッジ押さえガイド（１１）に従って、カバー（９）底部に誘導、押し付けられながら、反対側の差込口（１２）の停止形状に達すると、カートリッジ（１３）の一部を挿入側の差込口（１２）からはみ出したまま、挿入を停止する
【図４】。
【００１７】
【図４】
【００１８】
実施者が、電源コード（８）のスイッチを入れ通電状態にすると、紫外線蛍光ランプ（１）が発光し、誘虫をはじめる。誘われた昆虫は、紫外線蛍光ランプ（１）をめざして集まり、周囲を飛翔し、捕虫粘着部（１６）に触れるとそのまま捕獲される。
【００１９】
実施者は一定期間の捕獲の後、装着時に差込口（１２）からはみ出したままのカートリッジ（１３）の一部をつまみ、引き抜くことでカートリッジ（１３）をカバー（９）から取り外す。取り外されたカートリッジ（１３）は、実施者が台紙折り返し用指掛け部（２０）に指を掛け、仮留めされていた検査用透明フィルム窓（１５）を、台紙折り返し用ヒンジ部（１９）を軸に、逆方向に約３６０度回転することで、捕虫粘着部（１６）を保護する。
【００２０】
実施者は、捕虫粘着部（１６）を保護された使用済みのカートリッジ（１３）を、一般の書類と同じように保管することも可能であり、検査用透明フィルム窓（１５）を通して捕虫粘着部（１６）に付着した昆虫を観察することも可能であり、外部専門家に送付する場合は、例えば郵送等の書類と同等の輸送手段で送付することも可能である。
【００２１】
【発明の効果】
請求項１および請求項２の発明によれば、昆虫を捕獲する粘着部をカード型カートリッジとしたことで、従来の捕虫器の粘着部脱着交換にともなう作業時間の大幅な効率化、作業手順の簡易化を提供することができた。さらに検査用透明フィルム一体型のカード形状により、捕獲後のカートリッジをそのまま標本として書類と同程度の簡便さで保存管理することや、粘着部に付着した昆虫の死骸の観察、外部専門家への輸送の簡易化を提供することができた。
【００２２】
さらにカートリッジの形状と捕虫粘着部の面積を一定化することで、科学的かつ継続的な衛生検査の客観性を提供し、ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ：総合衛生管理製造過程）やＩＰＭ（Ｉｎｔｅｇｒａｔｅｄ  Ｐｅｓｔ  Ｍａｎａｇｅｍｅｎｔ：総合防虫管理手法）等のより高度な工場衛生管理手法の基礎データとなる昆虫のサンプリング作業を簡易に行うことができるようになった。
【図面の簡単な説明】
【図１】本発明の全体を示した斜視図である。
【図２】本発明のカートリッジ形状を示した展開図である。
【図３】本発明の差込口形状を示した平面図である。
【図４】本発明のカートリッジの差込脱着機構と実施例を示した断面図である。
【符号の説明】
１  紫外線蛍光ランプ
２  本体ベース
３  本体ベースフック
４  本体ベース固定用ネジ穴
５  本体ベース・カバー固定金具
６  グローランプ
７  安定器
８  電源コード
９  カバー
１０  カバー切り抜き窓
１１  カートリッジ押さえガイド
１２  差込口
１３  カートリッジ
１４  カートリッジ台紙
１５  検査用透明フィルム窓
１６  捕虫粘着部
１７  剥離紙
１８  台紙折り返し用切り抜き部
１９  台紙折り返し用ヒンジ部
２０  台紙折り返し用指掛け部
【図１】
2004159626.tif 000003
【図２】
2004159626.tif 000004
【図３】
2004159626.tif 000005
【図４】
2004159626.tif 000006